(57)【要約】 【課題】  粘度の高いインキまたは塗布液を使用することが出来、しかも減圧や膨張などによっておこるインキまたは塗布液の吹き出し現象を防ぐことの出来る、簡便な構造の液体塗布具を提案することを目的とする。【解決手段】  軸筒内に液体のインキまたは塗布液を直接貯留する貯溜室を有し、弁体を介してインキまたは塗布液を筆記部または塗布部に移動させる液体塗布具において、軸筒外側面に熱放出板を装着する、該熱放出板にフィン状の熱交換器を接続する等の貯溜室部分から熱を放出する手段を設けることによって、本課題を解決する。【選択図】  図１
2006035542.tif 000002
【特許請求の範囲】
【請求項１】
軸筒内に、液体のインキまたは塗布液を直接貯留する貯溜室を有し、弁体を介してインキまたは塗布液を筆記部または塗布部に移動させる液体塗布具において、該貯溜室部分から熱を放出する手段を設けたことを特徴とする液体塗布具。
【請求項２】
前記熱を放出する手段が、貯溜室部分の軸筒外側を覆う金属板または金属箔であることを特徴とする請求項１に記載の液体塗布具。
【請求項３】
前記熱を放出する手段が、貯溜室部分の軸筒外側を覆う金属蒸着膜であることを特徴とする請求項１に記載の液体塗布具。
【請求項４】
フイン状の放熱板を備え、前記熱を放出する手段と該放熱板が接続されていることを特徴とする請求項１〜３に記載の液体塗布具。
【発明の詳細な説明】
【技術分野】
【０００１】
本発明は、軸筒内に、液体のインキまたは塗布液を直接貯留する貯溜室を有し、弁体を介してインキまたは塗布液を筆記部または塗布部に移動させる液体塗布具に関し、更に詳しくは、貯溜室部分から熱を放出する手段を設けた液体塗布具に関する。
【背景技術】
【０００２】
従来、液体のインキまたは塗布液を用いる筆記具または塗布具において、軸筒内の貯溜室から筆記部または塗布部にインキまたは塗布液を移動させる際に貯溜室内の空気の膨張によるペン先部からのインキまたは塗布液の過剰流出を防ぐために、毛細管現象を利用したインキ保留体、例えば羽状調節体のものや、一時インキを保留できる繊維束等が用いられている（例えば、特許文献１）。
【０００３】
しかし、これらの提案された毛細管現象を利用したインキ保留体では、インキまたは塗布液の粘度が高い場合にはインキ保留体としては機能せず、ペン先または塗布部にインキまたは塗布液が移動していかないという大きな問題点がある。また、このようなインキ保留体を備えた場合、軸筒のかなりのスペースをとり、設計上の大きな制約にもなっていた。
【０００４】
また、粘度の高いインキまたは塗布液を使用することの出来るインキ流出調節機構として、液体のインキまたは塗布液を直接貯留する貯溜室と筆記部または塗布部の間にばね部材を有する弁体を設け、貯溜室からこの弁体を介してインキまたは塗布液を筆記部または塗布部に移動させる、いわゆるバルブ機構が用いられている（例えば、特許文献２）。
【０００５】
しかしながら、いままで提案されているバルブ機構を有する液体塗布具は、いずれも軸筒内の貯溜室内の空気の膨張や減圧の原因となっている、軸筒内の温度の上下について対策をとっていなかったために、高温の室内放置や筆記または塗布時に該塗布具を握っている場合の軸筒内の温度上昇による減圧や膨張によっておこる逆流、直流またはドバ落ちなどと称されるインキまたは塗布液の吹き出し現象を十分に防ぐことは出来なかった。
【特許文献１】特開平６−０３２０９３号（特許請求の範囲等）
【特許文献２】特開平６−２８６３８６号（特許請求の範囲等）
【発明の開示】
【発明が解決しようとする課題】
【０００６】
本発明は、前述した課題、すなわち、粘度の高いインキまたは塗布液を使用することが出来、しかも減圧や膨張などによっておこるインキまたは塗布液の吹き出し現象を防ぐことの出来る、簡便な構造の液体塗布具を提案することを目的とする。
【課題を解決するための手段】
【０００７】
本発明者らは、上記課題等に鑑み、これを解決しようとするものであり、軸筒内に液体のインキまたは塗布液を直接貯留する貯溜室を有し、弁体を介してインキまたは塗布液を筆記部または塗布部に移動させる液体塗布具において、貯溜室部分から熱を放出する手段を設けることによって、本発明を完成するに至ったのである。
すなわち、本発明は、次の（１）〜（４）の発明によって構成される。
（１）軸筒内に、液体のインキまたは塗布液を直接貯留する貯溜室を有し、弁体を介してインキまたは塗布液を筆記部または塗布部に移動させる液体塗布具において、該貯溜室部分から熱を放出する手段を設けたことを特徴とする液体塗布具。
（２）前記熱を放出する手段が、貯溜室部分の軸筒外側を覆う金属板または金属箔であることを特徴とする上記（１）に記載の液体塗布具。
（３）前記熱を放出する手段が、貯溜室部分の軸筒外側を覆う金属蒸着膜であることを特徴とする上記（１）に記載の液体塗布具。
（４）フイン状の放熱板を備え、前記熱を放出する手段と該放熱板が接続されていることを特徴とする上記（１）〜（３）に記載の液体塗布具。
【発明の効果】
【０００８】
本発明は、前記のように構成されており、軸筒内に液体のインキまたは塗布液を直接貯留する貯溜室を有し、弁体を介してインキまたは塗布液を筆記部または塗布部に移動させる液体塗布具において、貯溜室部分から熱を放出する手段を設けることによって、高温の室内放置や筆記または塗布時に該塗布具を握っている場合の軸筒内の温度上昇による減圧や膨張によっておこる逆流、直流またはドバ落ちなどと称されるインキまたは塗布液の吹き出し現象を防止することができるものである。
【発明を実施するための最良の形態】
【０００９】
以下に、本発明を実施するための最良の実施形態を図面により詳しく説明する。
図１は、本発明の液体塗布具の基本形態を示すものである。
この液体塗布具は、図１に示すように、軸筒１０、高い粘度のインキまたは塗布液を貯溜する貯溜室２０と、筆記部または塗布部３０、貯溜室２０と筆記部または塗布部３０の間に設けたインキ又は塗布液を貯溜室２０から筆記部または塗布部３０に移動および流量調節するばね部材４１を有する弁体４０とからなり、更に軸筒１０の外面いっぱいにわたって、熱放出板５０を装着した構造となっている。
【００１０】
図２は、図１における液体塗布具の軸筒１０と熱放出板５０との関係を示す説明図である。
この熱放出板５０は、金属板または金属箔で形成され、熱放出性を高めるために表面に溝等を設けても良い。
また、図２のように熱放出板５０を軸筒１０の外側に取り付けるのではなく、軸筒１０の外側面に金属蒸着膜を形成させても良い。
【００１１】
本発明の目的は、温度上昇により貯溜室２０内の空気が膨張する前に熱を逃がすことにあるので、金属板、金属箔、金属蒸着膜を軸筒１０に巻きつけて、より熱を逃がしやすくすることにある。
【００１２】
図３は、軸筒１０の外側面に形成した熱放出板５０にフィン状の熱交換器６０を接続した実施例の説明図（側面図）であり、図４は、同じ正面図である。このフィン状の熱交換器６０は、塗布具のクリップを兼ねても良い。また、フィン状の熱交換器６０は軸筒１０に直接設けても差し支えない。
【００１３】
フィン状の熱交換器６０は、軸筒１０に巻きつけた金属板、金属箔、金属蒸着膜に直接あるいは金属製の接合部を介して接続してあるので、金属板、金属箔、金属蒸着膜を軸筒１０に巻きつけただけよりも更に熱を逃がしやすくする効果が期待できる。
【００１４】
上記貯蔵室２０内に収容するインキまたは塗布液として本発明で想定しているものは、粘度が１０ｍＰａ・ｓｅｃ．を超える程度のインキまたは塗布液、化粧料であり、この程度の高い粘度になると毛細管現象を利用したインキ保留体は、短期的にインキ保留体にインキが入っていけないためその特徴を発揮し辛く、設けても無意味である。
【００１５】
本発明は、以上のごとく構成されているので、高い粘度のインキまたは塗布液を使用する液体塗布具として簡便な構造で、温度上昇下での軸筒内の空気の減圧、膨張によっておこる逆流、直流またはドバ落ちなどと称されるインキまたは塗布液の吹き出し現象を防止することができるものである。
【図面の簡単な説明】
【００１６】
【図１】本発明の液体塗布具の基本形態を示す概念図である。
【図２】図１における液体塗布具の軸筒と熱放出板との関係を示す説明図である。
【図３】本発明の軸筒の外側面に形成した熱放出板にフィン状の熱交換器を接続した実施例の説明図（側面図）である。
【図４】本発明の軸筒の外側面に形成した熱放出板にフィン状の熱交換器を接続した実施例の説明図（正面図）である。
【符号の説明】
【００１７】
１０    軸筒
２０    貯溜室
３０    筆記部または塗布部
４０    弁体
４１    ばね部材
５０    熱放出板
６０    フィン状熱交換器
６１    金属製の接合部
【図１】
2006035542.tif 000003
【図２】
2006035542.tif 000004
【図３】
2006035542.tif 000005
【図４】
2006035542.tif 000006